(57)【要約】      （修正有）【課題】ベルトの長さを調整するための準備や、調整の操作が容易なベルト留具および留具付ベルトを提供する。【解決手段】留具３は、ルーロー三角形の形状を有する枠体５の内側縁１１に沿って全周に、凹部１３が形成され、枠体５の内側に向かって開口する。この凹部１３に棒状ストッパー１９の両端が保持される。ベルト２１は、一端２３が棒状ストッパー１９に保持され、枠体５の背後から出てループ状部分２５を形成し、他の留具３が取付けられる。ベルト２１の表側を通り、再び前記枠体５の背後へ入り、前記一端２３を保持する前記棒状ストッパー１９と前記枠体５の前記内側縁１１との間を通り、前記枠体５の背後から出ていき他端に至る。長さを長くするときには、ルーロー三角形の任意の頂点７をループ状部分２５の方へ向け、表側のベルト２１を引っ張る。【選択図】図１
2014087529.tif 000002
【特許請求の範囲】
【請求項１】
３本の円弧状をした円弧辺から形成されるルーロー三角形の形状を有する枠体と、この枠体の内側縁に沿って全周に形成される凹部と、この凹部が有し、前記枠体の内側に向かって開口する開口部と、前記ルーロー三角形の円弧を形成する半径に相当する長さを有し、前記凹部に両端が保持される棒状ストッパーと、を有することを特徴とするベルト留具。
【請求項２】
前記棒状ストッパーは、円弧状部分と、この円弧状部分の両端から折り返えして中央に向かって延び互いに重なる２本の延設部分と、を有してバネ性を備えたことを特徴とする請求項１に記載のベルト留具。
【請求項３】
請求項１または２に記載のベルト留具が取付けられたベルトであって、前記棒状ストッパーに保持される一端と、この一端に連続し前記枠体の背後から出て形成されるループ状部分と、このループ状部分に取付けられる他の留具と、前記ループ状部分に連続し、ベルトの表側を通り、再び前記枠体の背後へ入り、前記一端を保持する前記棒状ストッパーと前記枠体の前記内側縁との間を通り、前記枠体の背後から出ていく他端と、を有する留具付ベルト。
【発明の詳細な説明】
【技術分野】
【０００１】
この発明は、ベルトの長さを調整する留具に関する。
【背景技術】
【０００２】
ベルトの長さを調整する留具には、こきカン、Ｄカンなどと呼ばれるいろいろなものが存在する。例えば、図６に示すように、ジョルダーバッグの肩ベルトに使用されるこきカンと呼ばれる留具１０１は、四角形の枠１０３を有し、中央に１本のバー１０５が固設され、全体として漢字の日という文字の形状に似る。
【０００３】
そして、ベルト１０７の一端はバー１０５に保持され、枠１０３の背後（図中Ｂの右側）から出て図中下方へ延び、ベルト１０７自身の表側へ回ってループ１０９を形成する。このループ１０９に他の連結のための留具１１１が取付けられる。この連結のための留具１１１は、例えば、ワンタッチバックルあるいはプラスチックバックルと呼ばれるもので、図では、ワンタッチバックルの雄側部分が取付けられている。
【０００４】
更に、ベルト１０７は、ループ１０９を形成した後、再び枠１０３の背後へ入る。そして、ベルト１０７自身の表側を通り、ベルト１０７の一端を保持するバー１０５と枠１０３の内側縁１１３との間を通り、再び枠１０３の背後から出ていき他端１１５に達する。
図６中のベルト１０７の長さＬ６を調整するには、ベルト１０７に荷重がかかっていると調整ができないので、まず、肩ベルト１０７を肩から外す。次に、長さＬ６を長くするときには、図中上のベルト１０７を留具１０１へ押込んで、留具１０１の中で撓ませる。その後、図中下のループ１０９を構成するうちの表側（図中Ｂの左側）のベルト１０７を、留具１０１から引っ張って、留具１０１の中で撓んでいた部分を伸ばす。これにより、ループ１０９は大きくなるので、長さＬ６は長くなる。
【０００５】
反対に、長さＬ６を短くするときには、図中下のループ１０９を構成するうちの表側のベルト１０７を、留具１０１へ押込んで、留具１０１の中で撓ませる。その後、図中上のベルト１０７を留具１０１から引っ張って、留具１０１の中で撓んでいた部分を伸ばす。これにより、ループ１０９は小さくなるので、長さＬ６は短くなる。
なお、下記特許文献１には、この発明に使用されるルーロー三角形の形状を有する部品を用いて、容器カバーの操作を行う装置が開示される。
【先行技術文献】
【特許文献】
【０００６】
【特許文献１】特開２０１０−０１４２２７
【発明の概要】
【発明が解決しようとする課題】
【０００７】
しかしながら、図６の留具１０１では、長さＬ６を調整するには、ベルト１０７に荷重がかかっていると調整ができないので、まず、準備として肩ベルト１０７を肩から外さねばならず、準備が面倒である。また、ベルト１０７を留具１０１へ押込んだり、反対側からベルト１０７を留具１０１から引っ張ったりせねばならず、調整の操作が面倒である。
【０００８】
この発明は、以上の問題点を解決するために、ベルトの長さを調整するための準備や、調整の操作が容易なベルト留具および留具付ベルトを提供することを目的とする。
【課題を解決するための手段】
【０００９】
以上の課題を解決するために、第一発明は、３本の円弧状をした円弧辺から形成されるルーロー三角形の形状を有する枠体と、この枠体の内側縁に沿って全周に形成される凹部と、この凹部が有し、前記枠体の内側に向かって開口する開口部と、前記ルーロー三角形の円弧を形成する半径に相当する長さを有し、前記凹部に両端が保持される棒状ストッパーと、を有することを特徴とするベルト留具である。
【００１０】
第二発明は、前記棒状ストッパーは、円弧状部分と、この円弧状部分の両端から折り返えして中央に向かって延び互いに重なる２本の延設部分と、を有してバネ性を備えたことを特徴とするベルト留具である。
第三発明は、第一または第二発明のベルト留具が取付けられたベルトであって、前記棒状ストッパーに保持される一端と、この一端に連続し前記枠体の背後から出て形成されるループ状部分と、このループ状部分に取付けられる他の留具と、前記ループ状部分に連続し、ベルトの表側を通り、再び前記枠体の背後へ入り、前記一端を保持する前記棒状ストッパーと前記枠体の前記内側縁との間を通り、前記枠体の背後から出ていく他端と、を有する留具付ベルトである。
【発明の効果】
【００１１】
第一、第二、又は第三発明によれば、ベルトは、その一端を棒状ストッパーに保持し、この一端に連続し枠体の背後から出しループ状部分を形成し、ベルトの表側を通り、再び枠体の背後へ入り、前記一端を保持する棒状ストッパーと枠体の内側縁との間を通り、枠体の背後から出ていき、他端に至る。
【００１２】
そして、長さを長くするときには、ルーロー三角形の任意の頂点をループ状部分の方へ向ける。そして、一方の手で留具を押さえ、他方の手で、ループ状部分を形成する表側のベルトを引っ張る。すると、この引っ張られたベルトに引きずられた棒状ストッパーが、ルーロー三角形の前記頂点とは反対側の円弧辺から離れ、隙間を大きくする。この隙間を通って、引っ張られたベルトが出て行き、ループ状部分は大きくなるので、長さは長くなる。
【００１３】
反対に、長さを短くするときには、逆に、ルーロー三角形の任意の頂点をループ状部分とは反対の方へ向け、一方の手で留具を押さえ、他方の手で、ループ状部分とは反対側のベルトを引っ張る。すると、この引っ張られたベルトに引きずられた棒状ストッパーが、ルーロー三角形の前記頂点とは反対側の円弧辺から離れ、隙間を大きくする。この隙間を通って、引っ張られたベルトが出て行き、ループ状部分は小さくなるので、長さは短くなる。
【００１４】
ベルトを使用する際には、ベルトには、全体として、長さ方向の両側に等しい力で引っ張られるので、ルーロー三角形の頂点がループ状部分のどちらに向いていても、棒状ストッパーが、ルーロー三角形の前記頂点とは反対側の円弧辺から離れることは、生じにくい。よって、ベルトは、棒状ストッパーと円弧辺との間に挟まれて、動かないので、長さは変わらず、ベルトとしても機能を果たす。
【００１５】
第二、又は第三発明によれば、棒状ストッパーの円弧状部分が、ルーロー三角形の円弧辺との間の隙間を小さくできるので、ベルトは、棒状ストッパーと円弧辺との間により強く挟まれ、より確実に、ベルトとしても機能を果たす。また、棒状ストッパーのバネ性により、円弧状部分は弾性によりベルトを押さえ込み、さらに確実に、ベルトとしても機能を果たす。
【図面の簡単な説明】
【００１６】
【図１】この発明の一実施形態を示す留具付ベルトを示すものであり、（Ａ）は正面図、（Ｂ）は（Ａ）の側面図である。
【図２】図１の留具を示すものであり、（Ａ）は一部を透視して示す正面図、（ａ）は（Ａ）の側面図である。
【図３】図１の留具を操作する動きを示すものであり、（Ｂ）は一部を透視して示す正面図、（ｂ）は（Ｂ）の側面図である。
【図４】図２の留具の操作後に、長さを長くするベルトの動きを示すものであり、（Ｃ）は一部を透視して示す正面図、（ｃ）は（Ｃ）の側面図である。
【図５】この発明の他の実施形態を示す留具を示すものであり、（Ａ）は正面図、（Ｂ）は（Ａ）の側面図である。
【図６】従来の留具付ベルトを示すものであり、（Ａ）は正面図、（Ｂ）は（Ａ）の側面図である。
【発明を実施するための形態】
【００１７】
この発明の実施形態を、図１から図４に示す。
図１に示すように、この実施形態の留具付ベルト１は、例えばジョルダーバッグの肩ベルトとして使用される。
図中上側の留具がこの実施形態の留具３である。この留具３は、ルーロー三角形の形状を有する枠体５を持つ。ルーロー三角形は、正三角形の各頂点７を中心に半径がその正三角形の１辺となる円弧で結んでできる。すなわち、枠体５は、３本の円弧状をした円弧辺９から形成される。図では、ルーロー三角形の１つの頂点７が真上を向いている。
【００１８】
この枠体５の内側縁１１に沿って、全周に、凹部１３が形成される。この凹部１３は、半円状の断面を有し、枠体５の内側に向かって、開口する開口部１５を有する。
枠体５の表面は、この枠体５に連続する表面部１７によって覆われている。この表面部１７は、図２から図５では省略し、また、枠体５と後述する棒状ストッパー１９の関係は、透視図となっている。
棒状ストッパー１９は、ルーロー三角形の円弧を形成する半径に相当する長さを有する。そして、凹部１３に両端が保持される。図では、棒状ストッパー１９の両端が、下の２つの頂点７の位置に保持さる。また、棒状ストッパー１９は、ルーロー三角形の真上の頂点７とは反対側、すなわち下側の円弧辺９に、近接している。
なお、保持が行われたまま、棒状ストッパー１９と枠体５は互いに３６０回転できる。
【００１９】
ベルト２１は、一端２３が、棒状ストッパー１９に巻回されて小さなループ状部分を作って固定され保持される。そして、この一端２３に連続し、枠体５の背後から出て、下方へ延び、ベルト２１自身の表側へ、上方に向かって折り返して、ループ状部分２５が形成される。このループ状部分２５には、他の連結のための留具２７が取付けられる。この連結のための留具２７は、例えば、ワンタッチバックルあるいはプラスチックバックルと呼ばれるもので、図では、ワンタッチバックルの雄側部分２９が取付けられている。雄側部分のバー３１に、ループ状部分２５が巻回されて保持される。
【００２０】
ベルト２１は、さらに、ループ状部分２５から上方へ連続し、ベルト２１自身の表側を通り、再び枠体５の背後へ入る。そして、ベルト２１の一端２３を保持する棒状ストッパー１９と、枠体５の内側縁１１との間を通り、枠体５へ入る。そして、枠体５の背後から出ていき、他端に至る。
「実施形態の効果」
この実施形態によれば、ベルト２１は、上記したように、その一端２３を棒状ストッパー１９に保持し、この一端２３に連続し枠体５の背後から出てループ状部分２５を形成し、ベルト２１の表側を通り、再び枠体５の背後へ入り、前記一端２３を保持する棒状ストッパー１９と枠体５の内側縁１１との間を通り、枠体５の背後から出ていき、他端に至る。
【００２１】
［短くするとき］
そして、長さＬ１を短くするときには、ルーロー三角形の任意の頂点７をループ状部分２５とは反対の方向、すなわち図１、図２のように上方向へ向ける。さらに、一方の手で留具３を押さえ、他方の手で、ループ状部分２５とは反対側、すなわち図１、図２中上側のベルト２１を引っ張る。
【００２２】
すると、この引っ張られた上側のベルト２１によって、上方へ引きずられた棒状ストッパー１９が、ルーロー三角形の上方向を向いた頂点７とは反対側、すなわち図１、図２中下側の円弧辺９から離れる。これにより、棒状ストッパー１９と下側の円弧辺９との間の隙間を大きくする。この隙間を通って、上方へ引っ張られたベルト２１が、上方へ出て行き、下側にあるループ状部分２５は小さくなる。そして、ワンタッチバックルの雄側部分２９の位置を、直して、ベルト２１のループ状部分２５の中央にすれば、長さＬ１は短くなる。
【００２３】
［長くするとき］
反対に、長さＬ１を長くするときには、図３に示すように、枠体５を回転させる。ルーロー三角形の性質により、棒状ストッパー１９は、両端が、凹部１３に保持されたまま、枠体５の回転が行われる。
【００２４】
これにより、図４に示すように、ルーロー三角形の任意の頂点７をループ状部分２５の方向、すなわち図中の下方向へ向ける。さらに前述と同様に、一方の手で留具３を押さえ、他方の手で、ループ状部分２５の方向、すなわち図４中下側のループ状部分２５を構成するうち表側（図４Ｂ左側）のベルト２１を下方へ引っ張る。
【００２５】
すると、この下方へ引っ張られた上側のベルト２１によって、下方へ引きずられた棒状ストッパー１９が、ルーロー三角形の頂点７とは反対側、すなわち図４中上側の円弧辺９から離れる（図中の点線）。これにより、棒状ストッパー１９と上側の円弧辺９との間の隙間を大きくする。この隙間を通って、下方へ引っ張られたベルト２１が、下方へ出て行き、下側にあるループ状部分２５は大きくなる。そして、ワンタッチバックルの雄側部分２９の位置を、直して、ベルト２１のループ状部分２５の中央にすれば、長さＬ１は長くなる。
【００２６】
［ベルト２１を使用する際］
ベルト２１を使用する際には、ベルト２１には、全体として、長さ方向の両側、すなわち図中上下方向に等しい力で引っ張られる。このために、ルーロー三角形の頂点７がループ状部分２５に対してどちらに向いていても、棒状ストッパー１９が、ルーロー三角形の頂点７とは反対側の円弧辺９から離れることは、生じにくい。よって、ベルト２１は、棒状ストッパー１９と円弧辺９との間に挟まれ、動かず、出て行くことはない。よって、長さＬ１は変わらず、ベルト２１としても機能を果たす。
【００２７】
もっとも、ベルト２１に非常に大きな力がかかるときには、ループ状部分２５を構成する背後のベルトが棒状ストッパー１９を引きずろうとする力が大きくなり、留具３との摩擦よりも大きくなる可能性が出るので、より安全な使用をするために、図２に示すように、ルーロー三角形の頂点７がループ状部分２５とは反対の方向へ向ける（図２では上方向）。
【００２８】
すると、背後のベルト２１によって、下方へ引きずられた棒状ストッパー１９が、ルーロー三角形の頂点７とは反対側、すなわち図２中下側の円弧辺９へ、より接近する。これにより、棒状ストッパー１９と下側の円弧辺９との間の隙間をより小さくし、この隙間とベルト２１の摩擦がさらに大きくなり、ベルト２１は動かない。
【００２９】
「他の実施形態」
以上の実施形態では、棒状ストッパー１９は、丸断面の円柱状であったが、他の実施形態では、図５に示すように、例えば金属製やプラスチック製により、略三日月の形にする。すなわち、円弧状部分１９Ａと、この円弧状部分１９Ａの両端から折り返えして中央に向かって延び互いに重なる２本の延設部分１９Ｂと、を有する。これによりバネ性を備えたものとする。
【００３０】
このようにすることで、棒状ストッパー１９の円弧状部分１９Ａが、ルーロー三角形の円弧辺９との間の隙間を小さくできる。よって、ベルト２１は、棒状ストッパー１９と円弧辺９との間により強く挟まれ、より確実に、ベルト２１としても機能を果たす。
また、棒状ストッパー１９の円弧状部分１９Ａが長手方向の左右（図中の左右）から押されることで伸縮するバネ性により、円弧状部分１９Ａは、強い弾性を有することになり、この弾性によりベルト２１を押さえ込み、さらに確実に、ベルト２１としても機能を果たす。
【符号の説明】
【００３１】
１…留具付ベルト、３…留具、５…枠体、７…頂点、９…円弧辺、１１…内側縁、１３…凹部、１５…開口部、１７…表面部、１９…棒状ストッパー、２１…ベルト、２３…一端、２５…ループ状部分、２７…連結のための留具、２９…雄側部分、３１…雄側部分のバー。
【図１】
2014087529.tif 000003
【図２】
2014087529.tif 000004
【図３】
2014087529.tif 000005
【図４】
2014087529.tif 000006
【図５】
2014087529.tif 000007
【図６】
2014087529.tif 000008